(57)【要約】      （修正有）【課題】ラックマウント型サーバ用のコンピュータブレードを提供する。【解決手段】基準軸６に沿ってラックマウント型サーバ１に挿入できるシャーシであって、２つの長尺面および少なくとも１つの横断面を含むシャーシと、２つのレバーアーム１７、１８であって、各レバーアーム１７、１８はピボットリンクによってシャーシに固定されて、各レバーアーム１７、１８が、横断面に平行に延在するロック位置と、横断面から角度αを形成する解放位置との間で、横断面に対して旋回できるようにし、各レバーアーム１７、１８は、そのロック位置にあるときにシャーシの長尺面の一方から突出する少なくとも１つの横方向タブを備える第１の端部を含み、摺動式ピボットリンクによって互いに固定されている。【選択図】図１
2014170533.tif 000002
【特許請求の範囲】
【請求項１】
ラックマウント型サーバ（１）用のコンピュータブレード（４）であって：
−  基準軸（６）に沿って前記ラックマウント型サーバ（１）に挿入されるように構成されたシャーシ（５）であって、２つの長尺面（７、８）および少なくとも１つの横断面（９）を含むシャーシ（５）；
−  ２つのレバーアーム（１７、１８）を含む操作手段であって、各レバーアーム（１７、１８）はピボットリンク（１９、２０）によって前記シャーシ（５）に固定され、各レバーアーム（１７、１８）が、前記レバーアーム（１７、１８）が前記横断面（９）と平行に延在するロック位置と、前記レバーアーム（１７、１８）が前記横断面（９）から角度αを形成する解放位置との間で、前記横断面（９）に対して旋回できるようにし、各レバーアーム（１７、１８）は、前記レバーアーム（１７、１８）がそのロック位置にあるときに前記シャーシ（５）の前記長尺面（７、８）の１つから突出する少なくとも１つの横方向タブ（２３、３２）を備える第１の端部（２１、２９）を含み、前記２つのレバーアーム（１７、１８）は摺動式ピボットリンク（３５）によって互いに固定されている、操作手段
を含むコンピュータブレード（４）。
【請求項２】
前記レバーアームの一方（１７）と前記横断面（９）との間に形成された角度（α）が、常に、他方のレバーアーム（１８）と前記横断面（９）との間に形成された角度（α）に等しくなるように、前記摺動式ピボットリンク（３５）が配置されている、請求項１に記載のコンピュータブレード（４）。
【請求項３】
前記横断面（９）が２つの端部（２８、４８）を含み、各レバーアーム（１７、１８）が前記横断面（９）の前記端部（２８、４８）の一方に固定されている、請求項１または２に記載のコンピュータブレード（４）。
【請求項４】
「第１のレバーアーム」と呼ばれる前記レバーアームの一方（１７）が自由端部（２２）を含み、「第２のレバーアーム」と呼ばれる前記レバーアームの他方（１８）が、前記摺動式ピボットリンク（３５）によって前記第１のレバーアーム（１７）に固定される端部（３０）を含む、請求項１〜３のいずれか一項に記載のコンピュータブレード（４）。
【請求項５】
前記摺動式ピボットリンク（３５）が、
−  前記レバーアーム（１８）に形成された湾曲溝（３６）、および
−  前記他方のレバーアーム（１７）に固定されたピボット（３７）であって、前記ピボット（３７）は前記湾曲溝（３６）を摺動でき、前記湾曲溝（３６）の形状は、前記レバーアーム（１７）と前記横断面（９）との間の前記角度（α）が常に前記他方のレバーアーム（１８）と前記横断面（９）との間に形成された前記角度（α）と等しくなるように、選択されている、ピボット（３７）
によって形成される、請求項４に記載のコンピュータブレード（４）。
【請求項６】
前記角度αが０°〜３０°で変化する、請求項５に記載のコンピュータブレード（４）。
【請求項７】
各レバーアーム（１７、１８）を通って開口部（３８）が形成されている、請求項１〜６のいずれか一項に記載のコンピュータブレード（４）。
【請求項８】
さらに、前記レバーアーム（１７、１８）を前記ロック位置に保持できる第１の固定手段（３９）を含む、請求項１〜７のいずれか一項に記載のコンピュータブレード（４）。
【請求項９】
さらに、前記レバーアーム（１７、１８）を前記ロック位置に保持できる第２の固定手段（４０）を含む、請求項１〜８のいずれか一項に記載のコンピュータブレード（４）。
【請求項１０】
請求項１〜９のいずれか一項に記載のコンピュータブレード（４）を挿入できるフレーム（２）を含むラックマウント型サーバ（１）であって、前記フレーム（２）が、前記コンピュータブレードの前記レバーアームの各々の前記タブ（２３、３２）が嵌るノッチを含む、ラックマウント型サーバ。
【発明の詳細な説明】
【技術分野】
【０００１】
本発明は、ラックマウント型サーバのフレームにコンピュータブレードを挿入するのに最適なシステムを備える、ラックマウント型サーバ用のコンピュータブレードに関する。
【背景技術】
【０００２】
ラックマウント型サーバは、通常、いくつかのラックまたはスロットを含み、その内部にコンピュータブレードを挿入し得る。（特許文献１）には、そのようなラックマウント型サーバが開示されている。このラックマウント型サーバは、各コンピュータブレードをラックに挿入して保持できるロッキングシステムを含む。さらに、このロッキングシステムはレバーを含み、ユーザが、そのレバーを、コンピュータブレードを扱うため、特に、コンピュータブレードをラックに対して出し入れするために使用できる。しかしながら、従来技術のレバーでは、大きいまたは重いコンピュータブレードの操作はできない。特に、従来技術によるレバーは、液圧式冷却システムを備えるコンピュータブレードを扱うためには、接続力（connection force）が高すぎるため、使用できない。
【０００３】
さらに、コンピュータブレードがラックマウント型サーバのラックに挿入されているとき、コンピュータブレードのコネクタは、ラックマウント型サーバのソケットに挿入されている必要がある。しかしながら、従来技術によるレバーは、レバーの回転の中心から離れすぎたところに接続力が加えられるとき、コンピュータブレードを詰まらせずに、コンピュータブレードのコネクタを正しく挿入することができない。
【先行技術文献】
【特許文献】
【０００４】
【特許文献１】米国特許第7 684 208号明細書
【発明の概要】
【０００５】
発明の開示
本発明は、コンピュータブレードが重いおよび／または大きい場合でも、コンピュータブレードまたはその操作システムを変形させることなく、ラックマウント型サーバにコンピュータブレードを簡単に挿入しかつ取り出すことができるようにコンピュータブレードを操作するための操作手段を開示することによって、従来技術の欠点を克服することを目的とする。
【０００６】
本発明はまた、ラックマウント型サーバにコンピュータブレードコネクタを良好に挿入できるようにする、コンピュータブレードを挿入するためのシステムを開示することを目的とする。
【０００７】
これを達成するために、本発明の第１の態様では、
−  基準軸に沿ってラックマウント型サーバに挿入されるように構成されたシャーシであって、２つの長尺面および少なくとも１つの横断面を含むシャーシ；
−  コンピュータブレードを操作するための操作手段であって、操作手段は２つのレバーアームを含み、各レバーアームは、ピボットリンクによってシャーシに固定されて、各レバーアームが、前記レバーアームが横断面に平行に延在するロック位置と、前記レバーアームが横断面から角度αを形成する解放位置との間で、横断面に対して旋回できるようにし、各レバーアームは、前記レバーアームがそのロック位置にあるときにシャーシの長尺面の一方から突出する少なくとも１つの横方向タブを備える第１の端部を含み、２つのレバーアームは、摺動式ピボットリンクによって互いに固定されている、操作手段
を含む、ラックマウント型サーバ用のコンピュータブレードを開示する。
【０００８】
摺動式ピボットリンクによって互いに接続された２つのレバーアームを有することによって、従来技術よりも強力なコンピュータブレード操作手段を与えることができる。そのため、力が２つのレバーアームに、およびそれらのシャーシへの取付点に分配される。各ピボットリンクはシャーシに２つの支持点を含み、操作手段からの力が、シャーシの４つの支持点に分配され、それにより、コンピュータブレードが詰まらないようにする。さらに、２つのレバーアーム間に摺動式ピボットリンクを有することによって、レバーアームを強化してコンピュータブレード全体にわたって力を分配するだけでなく、ラックマウント型サーバに対してコンピュータブレードを出し入れするために、レバーアームを１つだけ操作する必要があるようにできる。
【０００９】
さらに、操作手段は、コンピュータブレードをシャーシに最適に挿入できるようにし、特に、コンピュータブレードのコネクタを、シャーシの対応するソケットにより良好に挿入できるようにする。２つのレバーアームの各々は、シャーシから突出する少なくとも１つの横方向タブを含む。操作手段は、ブレードの挿入手順中は解放位置にあり、および、レバーアームのタブが、ラックマウント型サーバにある対応するノッチに対面するとき、レバーアームはロック位置にされて、タブが、ラックマウント型サーバにある対応するノッチに入り込むようにされ、かつ、てこの原理に起因してコンピュータブレードに力を加え、それにより、コンピュータブレードのコネクタを、ラックマウント型サーバの対応するソケットに挿入するのを容易にする。反対に、ブレードをラックマウント型サーバから取り出す必要があり、レバーアームが解放位置にされるとき、タブは、ラックマウント型サーバのノッチの壁に反対方向に力を加え、ラックマウント型サーバからのコンピュータブレードの取り出しを容易にする。
【００１０】
本発明によるコンピュータブレードはまた、以下述べる１つまたはいくつかの特徴を、独立してまたは技術的に可能な任意の組み合わせで含み得る。
【００１１】
摺動式ピボットリンクは、好ましくは、レバーアームの一方と横断面との間に形成される角度αが常に他方のレバーアームと横断面との間に形成される角度αと等しくなるように、配置される。これら２つの角度が等しいことによって、いずれの詰り作用も防止し、かつ、コンピュータブレードの高さにわたるコネクタの位置またはそれらに必要な接続力に関わらず、全てのコネクタの完璧な挿入を保証する。
【００１２】
摺動式ピボットリンクは：
−  レバーアームの一方に形成された湾曲溝
−  他方のレバーアームに固定されたピボットであって、ピボットは湾曲溝を摺動することができ、レバーアームの一方と横断面との間に形成された角度が常に他方のレバーアームと横断面との間に形成された角度に等しくなるように配置された形態を湾曲溝は有する、ピボット
によって形成されることが好都合である。
【００１３】
角度αは０°〜３０°で変化することが好都合である。この角度は、ラックマウント型サーバの孔からタブを解放するのに十分である。
【００１４】
レバーアームは、好ましくは、コンピュータブレードのシャーシの横断面に固定される。
【００１５】
横断面は２つの端部を含み、各レバーアームは、横断面の端部の一方に固定されていることが好都合である。それゆえ、接続力および挿入力は、ブレードの高さ全体にわたって分配される。
【００１６】
好ましい一実施形態によれば、「第１のレバーアーム」と呼ばれるレバーアームの一方は自由端部を含み、「第２のレバーアーム」と呼ばれるレバーアームの他方は、摺動式ピボットリンクによって第１のレバーアームに固定される端部を含む。それゆえ、単に第１のレバーアームを押したり引いたりすることによって、操作手段をロックまたは解放できる。それゆえ、２つのレバーアームが存在するにも関わらず、コンピュータブレードの操作を容易にする。
【００１７】
各レバーアームを貫通して開口部が形成されることが好都合である。これら開口部があることによって、シャーシの横断面にレバーアームが存在するにも関わらず、空気をコンピュータブレードまで入るように通すことができる。
【００１８】
コンピュータブレードはまた、レバーアームをロック位置に保持できる第１の固定手段を含むことが好都合である。これらの第１の固定手段は、コンピュータブレードが偶然ラックマウント型サーバから出てこないようにする。好ましくは、これは、
−  シャーシの横断面に固定された可撓性フック
−  第１のレバーアーム上に、プッシュボタンと共に、フックが嵌る受け部分
を備えるこれら第１の固定手段を提供することによって、行われる。本出願人らの場合、例えばバネ鋼板などの可撓性材料製のフックは、シャーシの横断面に固定される。第１のレバーアームに固定された、フックが嵌る部分は、レバーアームがロック位置にあるときに、先のフックをロックする。ボタンも第１のアームに固定され、圧力が加えられると、ボタンは、フックが嵌るその部分の孔を通過することによって、シャーシの横断面から可撓性フックを持ち上げて、レバーアームを解放する。
【００１９】
コンピュータブレードはまた、レバーアームをロック位置に保持できる第２の固定手段を含むことが好都合である。これらの第２の固定手段は、ユーザが偶然第１の固定手段のボタンを押しても、横断面に対してレバーアームが旋回しないようにして、ラックマウント型サーバからコンピュータブレードを解放しないようにする。好ましくは、これは、第２の固定手段に、第１のレバーアームにある孔を通過しかつシャーシの横断面の孔にねじ込まれ得るねじを設けることによって、行われる。ねじがシャーシの横断面の孔にねじ込まれるとき、ねじは第１のレバーアームをロック位置に保持する。
【００２０】
本発明の第２の態様はまた、本発明の第１の態様によるコンピュータブレードを挿入できるフレームを含むラックマウント型サーバに関し、そのフレームは、コンピュータブレードのレバーアームの各々のタブが嵌るノッチを含む。
【００２１】
本発明の他の特徴および利点は、添付の図面を参照して以下の詳細な説明を読むことから明らかとなる。
【図面の簡単な説明】
【００２２】
【図１】本発明の一実施形態によるラックマウント型サーバの斜視図である。
【図２】コンピュータブレードの挿入中の図１のサーバの斜視図である。
【図３】本発明の一実施形態によるコンピュータブレードの斜視図である。
【図４】図３のコンピュータブレードの解放位置にある側面図である。
【図５】図３のコンピュータブレードのロック中の側面図である。
【図６】図３のコンピュータブレードのレバーアームの斜視図である。
【図７】図３のコンピュータブレードの斜視図である。
【図８】図８のコンピュータブレードのレバーアームの一方の側面図である。
【発明を実施するための形態】
【００２３】
同一または同様の要素には、全ての図において同一の参照符号を付す。
【００２４】
図１および図２は、本発明の一実施形態によるラックマウント型サーバ１を示す。このサーバ１はフレーム２を含み、フレームはそれ自体がいくつかのラック３を含み、その内部にコンピュータブレード４を挿入し得る。フレーム２はバックパネル１１を含み、そこにソケットが配置され、その内部にコンピュータブレードコネクタを挿入できる。フレームはまた、コンピュータブレード４を挿入する開口部１２を含む。
【００２５】
図３〜８にコンピュータブレード４をより正確に示す。このコンピュータブレード４はシャーシ５を含む。このシャーシ５は、通常、電子ボードおよび電子部品（図示せず）、および好ましくは液圧式冷却システムを含む。
【００２６】
コンピュータブレード４は、基準軸６に沿って置かれている。この基準軸は、コンピュータブレードをラックマウント型サーバに挿入する方向である。
【００２７】
シャーシ５は：
−  基準軸６に沿って延在する２つの長尺面７、８；
−  ２つの長尺面７、８に垂直に延在する１つの横断面９。コンピュータブレード４をフレーム２に挿入するとき、横断面９は、フレーム２の開口部１２の側に配置される；
−  ２つの長尺面７、８に垂直に延在する１つの接続面１０。コネクタ１３が接続面１０を通過し、かつフレーム２のソケットに挿入されるように構成されている。それゆえ、コンピュータブレード４がフレーム２に挿入されるとき、接続面１０は、フレーム２のバックパネル１１の側に配置される；
−  基準軸６に沿って延在する２つの側壁１４、１５
を含む。
【００２８】
コンピュータブレード４はまた、コンピュータブレード４をフレーム２に対して出し入れするためにユーザが使用できる操作手段１６を含む。これらの操作手段は：
−  ピボットリンク１９によってシャーシ５に固定された第１のレバーアーム１７；
−  ピボットリンク２０によってシャーシ５に固定された第２のレバーアーム１８
を含む。
【００２９】
各レバーアーム１７、１８は、そのピボットリンクの周りで：
−  レバーアームが横断面９に平行であるロック位置（図２）と；
−  レバーアームが横断面９と非ゼロの角度αをなす解放位置（図１）と
の間で旋回できる。
【００３０】
２つのレバーアーム１７、１８は、摺動式ピボットリンク３５によって一緒に接続されており、レバーアーム１７と横断面９との間に形成された角度αが、他方のレバーアーム１８と横断面９との間に形成された角度αに等しくなるようにする。
【００３１】
より正確には、第１のレバーアーム１７は、横断面９の高さ全体に延在する。第１のレバーアーム１７は、第１の端部２１および第２の端部２２を含む。第１の端部２１は、ピボットリンク１９によって横断面９に固定される。より正確には、第１のレバーアームの第１の端部２１は、好ましくは、横断面９の第１の端部２８付近に固定される。ピボットリンク１９は、好ましくは、横断面９に固定されかつ第１のレバーアームの２つの孔２６に差し込まれたピボット２５によって形成されている。
【００３２】
第１のレバーアーム１７がロック位置にあるときに、第１の端部２１はまた、長尺面８からこれを横断して突出するように配置された４つのタブ２３を備える。タブ２３はまた、第１のレバーアームがロックされていない位置にあるときには、もはや長尺面８からこれを横断して突出しないように配置されている。コンピュータブレードはまた、前記レバーアームが解放位置にあるときに第１のレバーアーム１７のタブ２３が嵌ることができる２つの凹部２４を含む。
【００３３】
第１のレバーアーム１７の第２の端部２２は自由端部であり、かつ好ましくは、ユーザが指を差し込むことができる箇所２７を有する。
【００３４】
第２のレバーアーム１８も、第１の端部２９および第２の端部３０を含む。第２のレバーアーム１８の第１の端部２９は、ピボットリンク２０によって横断面９に固定される。より正確には、第２のレバーアーム１８のこの第１の端部２９は、好ましくは、第１のレバーアーム１７の第１の端部２１が固定されている横断面９の対向端部４８に固定される。第２のレバーアーム１８と横断面９との間のピボットリンクは、第１のレバーアーム１７と横断面９との間のピボットリンクと同様である。さらに、第２のレバーアームはまた、その第１の端部２９に、第１のレバーアーム１７のように４つのタブ３２を含む。これらのタブ３２は、第２のレバーアーム１８がロック位置にあるときに、長尺面７からこれを横断して突出する。シャーシ５はまた、第２のレバーアーム１８がロック位置にないときには、各タブ３２を保持するように形成された２つの凹部３３を含む。
【００３５】
タブ２３および３２は、コンピュータブレードがフレーム２に挿入されるときに、フレーム２のノッチに入り込むように配置される。それゆえ、タブ２３、３２は、フレーム２へのコンピュータブレードの挿入、およびフレーム２のソケットへのコンピュータブレードコネクタの挿入を容易にする。タブ２３、３２は、ノッチに入り込むときにてこの原理を適用して、第１のレバーアームが３０°に等しい角度αから０°に等しい角度αまで傾斜するときに、それらタブがコンピュータブレードをフレームの底部の方へ引くようにする。反対に、タブ２３、３２は、第１のレバーアーム１８が０°に等しい角度αから３０°に等しい角度αまで傾斜するときに、それらタブがフレームからのコンピュータブレードの取り出しを容易にするように、反対方向にてこの原理を適用する。
【００３６】
第２のレバーアーム１８の第２の端部３０は自由端部ではなく、摺動式ピボットリンク３５によって第１のレバーアーム１７に固定されている。より正確には、第２のレバーアームの第２の端部３０は、第１のレバーアームの第２の端部２２からある距離、例えば第１のレバーアームの長さの半分に等しい距離離れた点で、第１のレバーアームに固定されている。
【００３７】
摺動式ピボットリンク３５は、第２のレバーアーム１８に形成された湾曲溝３６と、湾曲溝３６を摺動する、第１のレバーアームに固定されたピボット３７とによって形成される。湾曲溝３６の形状は、第１のレバーアーム１７と横断面９との間の角度αが常に第２のレバーアーム１８と横断面９との間の角度αに等しくなるように、選択される。それゆえ、この実施形態では、湾曲溝の座標は以下の通りである：
Ｘ＝１０（１−２ｓｉｎ2（α））＋ｓｉｎ（α）（３１１．４ｃｏｓ（α）−２５９．６）
Ｙ＝−１５５．７（１−２ｓｉｎ2（α））＋ｃｏｓ（α）（２０ｓｉｎ（α）＋２５９．６）
【００３８】
湾曲溝３６はまた、角度αを０〜３０°で変化させることができるようなサイズにされる。
【００３９】
コンピュータブレードはまた、好ましくは、第１および第２の固定手段３９、４０を含む。
【００４０】
第１の固定手段３９は、ロック位置にレバーアーム１７、１８を保持する。これを達成するために、第１の固定手段３９は、好ましくは：
−  第１のレバーアーム１７に固定された、フック４２を保持する部分４１、
−  シャーシ５の横断面９に固定された可撓性フック４２
を含む。固定手段はまた、好ましくは、保持部分の孔４１に入り込んでフック４２を持ち上げるボタン４３を含む。それゆえ、レバーアーム１７、１８がロック位置にあるとき、フック４２は、受け部分４１をブロックしている。ボタン４３は伸長位置にある。ボタン４３を押すことによって、ボタンを受け部分４１の受け孔で摺動させてフック４２を上昇させるため、フック４２は受け孔４１から解放され、かつレバーアーム１７、１８は、横断面９に対して自由に旋回できる。
【００４１】
コンピュータブレードはまた、レバーアーム１７、１８をロック位置に保持できる第２の固定手段４０を含む。これらの第２の固定手段４０は、レバーアーム１７、１８が横断面９に対して旋回しないようにするため、ユーザが誤って第１の固定手段３９のボタン４３を押す場合に、ラックマウント型サーバ１のフレーム２からコンピュータブレード４を解放しないようにする。好ましくは、これは、第１のレバーアーム１７にある孔４５を通過してシャーシの横断面９の孔４６にねじ込まれ得るねじ４４を有する第２の固定手段４０によって達成される。ねじ４４がシャーシの横断面９の孔４６にねじ込まれると、ねじは第１のレバーアーム１７をロック位置に保持する。さらに、第２のレバーアーム１８は第１のレバーアーム１７と横断面９との間に配置されているため、第２のレバーアーム１８もロック位置に保持される。
【００４２】
さらに、好ましくは、２つのレバーアームを通して孔３８が形成されるため、各レバーアームを空気が通過できる。好ましくは、第１のレバーアームには、多くの小さな孔３８があり、これら孔は、空気を通過できるようにする一方で、審美的理由から第２のレバーアームおよび横断面９を隠す。第２のレバーアームの孔３８は、好ましくは、より多くの空気を通過させられるようにし、かつ第２のレバーアームは全く審美的役割を果たさないため、より大きい。
【００４３】
当然、本発明は、図面を参照して説明した実施形態に限定されず、および本発明の範囲から逸脱せずに変形例を考慮できる。それゆえ、摺動式ピボットリンクは、第２のレバーアームに溝と、第１のレバーアームに固定されたピボットとを有する代わりに、第１のレバーアーム上の溝と、第２のレバーアームに固定されたピボットとによって形成され得る。さらに、各レバーアームの各端部は、４つのタブの代わりに、タブを２つのみ、または単一のタブを有し得る。他の形状のタブ；例えばフックの形状のタブを考慮することも可能である。
【符号の説明】
【００４４】
１  ラックマウント型サーバ
２  フレーム
３  ラック
４  コンピュータブレード
５  シャーシ
６  基準軸
７、８  長尺面
９  横断面
１０  接続面
１１  バックパネル
１２  開口部
１３  コネクタ
１４、１５  側壁
１６  操作手段
１７  第１のレバーアーム
１８  第２のレバーアーム
１９、２０  ピボットリンク
２１  第１のレバーアームの第１の端部
２２  第１のレバーアームの第２の端部
２３、３２  タブ
２４、３３  凹部
２５  ピボット
２６  孔
２７  ユーザが指を差し込むことができる箇所
２９  第２のレバーアームの第１の端部
３０  第２のレバーアームの第２の端部
３５  摺動式ピボットリンク
３６  湾曲溝
３７  ピボット
３８、４５、４６  孔
３９  第１の固定手段
４０  第２の固定手段
４２  可撓性フック
４３  ボタン
４４  ねじ
４８  対向端部
【図１】
2014170533.tif 000003
【図２】
2014170533.tif 000004
【図３】
2014170533.tif 000005
【図４】
2014170533.tif 000006
【図５】
2014170533.tif 000007
【図６】
2014170533.tif 000008
【図７】
2014170533.tif 000009
【図８】
2014170533.tif 000010
【外国語明細書】
2014170533000001.pdf
2014170533000002.pdf
2014170533000003.pdf
2014170533000004.pdf